(57)【要約】【課題】本発明の課題は、撮影画像の二重利用を防止したキャンペーン応募管理システムを提供することである。【解決手段】印刷媒体を撮影した画像データと撮影条件データを電子メールで送信する携帯端末装置と、前記受信した電子メールの画像データを画像認識サーバ装置に送信して画像識別情報を受け取って、前記画像識別情報と撮影条件データとを応募判定サーバ装置に送信して応募判定報告を受け取って、応募結果の電子メールを作成して、携帯端末装置に送信する受付サーバ装置と、電子メールの画像データを受け取って画像識別情報を返信する画像認識サーバ装置と、受信した撮影条件データと画像識別情報が、記憶された応募履歴データの画像識別情報と撮影条件データと比較して一致すれば不正応募と判定する応募判定サーバ装置とを、備える応募管理システムである。【選択図】図１
2008242891.tif 000002
【特許請求の範囲】
【請求項１】
画像部を含む領域を持つ印刷媒体の撮影画像を利用した応募管理システムであって、
携帯端末装置と、受付サーバ装置と、画像認識サーバ装置と、応募判定サーバ装置と、がネットワーク接続されて構成される撮影画像を利用した応募管理システムであって、
前記携帯端末装置は、
記憶手段と、
印刷媒体の画像部を含む領域を撮影して、画像データを記憶手段に、記録するカメラと、前記記憶手段に記録された画像データと撮影条件データを用いて、撮影データを作成して、これを添付した送信者情報を有する電子メールを作成する電子メール作成手段と、
前記作成された電子メールを、受付サーバ装置に、送信する電子メール送信手段と、
受付サーバ装置から応募結果を含む電子メールを受信する電子メール受信手段と、
を備える端末装置であって、
送信者情報と撮影データとを含む電子メールを受信する電子メール受信手段と、
前記受信した電子メールに含まれる撮影データの画像データを用いて、これを含んだデータベース検索クエリを構成して、画像認識サーバ装置に、送信する画像送信手段と、
画像認識サーバ装置から、画像識別情報を含む画像認識結果を受信する画像認識結果受信手段と、
画像認識サーバ装置が送信した画像認識結果を受信する画像認識結果受信手段と、
前記受信した画像認識結果と電子メールとを用いて、画像識別情報と撮影条件データとを含む応募情報を作成して応募判定サーバ装置に送信する応募情報作成送信手段と、
応募判定サーバ装置が送信した応募判定報告を受信する応募判定報告受信手段と、
前記受信した応募判定報告を用いて応募結果を含む電子メールを作成して、携帯端末装置に送信する電子メール受信手段と、
を備えるサーバ装置であって、
画像認識サーバ装置は、
画像識別情報データベースを記憶する記憶手段と、
受付サーバ装置から、データベース検索クエリを受け付けて、これを用いて、画像識別情報データベースを検索して、画像識別情報を抽出する検索手段と、
画像識別情報を含む画像認識結果を作成して、受付サーバ装置に、返信する画像認識結果返信手段と、
を備えるサーバ装置であって、
応募判定サーバ装置は、
撮影条件データと画像認識結果とを関係付けた応募履歴データを記憶する記憶手段と、
受付サーバ装置が送信した応募情報を受信する応募情報受信手段と、
前記受信した応募情報の画像識別情報と撮影条件データとを用いて、記憶された応募履歴データの画像識別情報と撮影条件データを参照して、両者が一致する応募履歴データがあれば不正応募と判定する不正応募判定手段と、
前記受信した応募情報を記録する応募履歴記録手段と、
を備えるサーバ装置である、ことを特徴とする撮影画像を利用した応募管理システム。
【請求項２】
前記受付サーバ装置において、
前記応募情報作成送信手段は、前記受信した画像認識結果と電子メールとを用いて、画像識別情報と撮影条件データと送信者情報とを含む応募情報を作成して応募判定サーバ装置に送信して、
前記応募判定サーバ装置において、
前記記憶手段は、送信者情報と撮影条件データと画像認識結果とを関係付けた応募履歴データを記憶して、
前記不正応募判定手段は、前記受信した応募情報の画像識別情報と撮影条件データとを用いて、記憶された応募履歴データの画像識別情報と撮影条件データを参照して、両者が一致する応募履歴データを抽出して、この応募履歴データの送信者情報が前記受信した応募情報の送信者情報を用いて、前記抽出された応募履歴データの送信者情報と比較して、両者が一致すれば本人による不正応募と判定して、両者が一致しなければ、他人の撮影データの不正使用と判定する、
ことを特徴とする請求項１に記載の撮影画像を利用した応募管理システム。
【請求項３】
コンピュータに組込むことによって、コンピュータを請求項１または請求項２に記載の撮影画像を利用した応募管理システムとして動作させるコンピュータプログラム。
【請求項４】
請求項３に記載のコンピュータプログラムを記録したコンピュータ読取り可能な記録媒体。
【発明の詳細な説明】
【技術分野】
【０００１】
本発明は、キャンペーン参加受付において、携帯端末装置（たとえば、携帯電話）で撮影した購入品画像を電子メールで受付してキャンペーン応募の管理をするシステムに関するものである。
【背景技術】
【０００２】
従来から、商品の購入者を対象としたクローズドキャンペーンにおいては、商品を購入した証拠（たとえば、商品に添付された応募券）を提出することで、キャンペーンへの参加資格が得られる。
ところが、収集を楽しむトレーディングカードやおまけシールを、クローズドキャンペーンへの応募券に使用する場合には、これを提出させることができないので、カメラ付携帯電話で、集めたものを写真撮影して電子メールに添付させて、キャンペーン事務局に送信するサービスが考えられる。
【０００３】
たとえば、非特許文献１では、携帯電話で、画像を撮影して、撮影画像の特徴データを求めて、これを該当ＷＥＢサイトに送信させて、特徴データに対応する情報を、携帯電話に表示させる技術が開示されている。
また、特許文献１では、携帯電話で撮影した画像を電子メールに添付させて検索サーバに送信させて、検索サーバでは、撮影画像を検索キーにして情報検索して、情報を取得させる技術が開示されている。
【非特許文献１】オリンパス株式会社新事業企画部、“Sync★R（シンクる）”、サービス概要−特長（Sync★Rの概要）、オリンパス株式会社、[online]、[平成１９年３月１日検索]、インターネット＜http://gwmj.jp/＞
【特許文献１】特開２００１−２８２８２５号公報（段落００１１〜００１６、図３）
【発明の開示】
【発明が解決しようとする課題】
【０００４】
ところで、撮影画像を用いたキャンペーン応募においては、撮影画像の使用は、１回に限定して、二重応募を排除したい。ところが、特許文献１の技術では、同じ画像を繰り返し使用されても、このことを検知することができないという問題点があった。
【０００５】
本発明はこのような点を考慮してなされたものであって、本発明の課題は、撮影画像の二重利用を防止したキャンペーン応募管理システムを提供することである。
【課題を解決するための手段】
【０００６】
本発明は、以下のような解決手段により、前記課題を解決する。すなわち、請求項１の発明は、画像部を含む領域を持つ印刷媒体の撮影画像を利用した応募管理システムであって、携帯端末装置と、受付サーバ装置と、画像認識サーバ装置と、応募判定サーバ装置と、がネットワーク接続されて構成される撮影画像を利用した応募管理システムであって、前記携帯端末装置は、記憶手段と、印刷媒体の画像部を含む領域を撮影して、画像データを記憶手段に、記録するカメラと、前記記憶手段に記録された画像データと撮影条件データを用いて、撮影データを作成して、これを添付した送信者情報を有する電子メールを作成する電子メール作成手段と、前記作成された電子メールを、受付サーバ装置に、送信する電子メール送信手段と、受付サーバ装置から応募結果を含む電子メールを受信する電子メール受信手段と、を備える端末装置であって、送信者情報と撮影データとを含む電子メールを受信する電子メール受信手段と、前記受信した電子メールに含まれる撮影データの画像データを用いて、これを含んだデータベース検索クエリを構成して、画像認識サーバ装置に、送信する画像送信手段と、画像認識サーバ装置から、画像識別情報を含む画像認識結果を受信する画像認識結果受信手段と、画像認識サーバ装置が送信した画像認識結果を受信する画像認識結果受信手段と、前記受信した画像認識結果と電子メールとを用いて、画像識別情報と撮影条件データとを含む応募情報を作成して応募判定サーバ装置に送信する応募情報作成送信手段と、応募判定サーバ装置が送信した応募判定報告を受信する応募判定報告受信手段と、前記受信した応募判定報告を用いて応募結果を含む電子メールを作成して、携帯端末装置に送信する電子メール受信手段と、を備えるサーバ装置であって、画像認識サーバ装置は、画像識別情報データベースを記憶する記憶手段と、受付サーバ装置から、データベース検索クエリを受け付けて、これを用いて、画像識別情報データベースを検索して、画像識別情報を抽出する検索手段と、画像識別情報を含む画像認識結果を作成して、受付サーバ装置に、返信する画像認識結果返信手段と、を備えるサーバ装置であって、応募判定サーバ装置は、撮影条件データと画像認識結果とを関係付けた応募履歴データを記憶する記憶手段と、受付サーバ装置が送信した応募情報を受信する応募情報受信手段と、前記受信した応募情報の画像識別情報と撮影条件データとを用いて、記憶された応募履歴データの画像識別情報と撮影条件データを参照して、両者が一致する応募履歴データがあれば不正応募と判定する不正応募判定手段と、前記受信した応募情報を記録する応募履歴記録手段と、を備えるサーバ装置である、ことを特徴とする撮影画像を利用した応募管理システムである。
【０００７】
このように、応募に使用した画像を不正に二重利用しようとすることを防止することができる。
【０００８】
請求項２の発明は、前記受付サーバ装置において、前記応募情報作成送信手段は、前記受信した画像認識結果と電子メールとを用いて、画像識別情報と撮影条件データと送信者情報とを含む応募情報を作成して応募判定サーバ装置に送信して、前記応募判定サーバ装置において、前記記憶手段は、送信者情報と撮影条件データと画像認識結果とを関係付けた応募履歴データを記憶して、前記不正応募判定手段は、前記受信した応募情報の画像識別情報と撮影条件データとを用いて、記憶された応募履歴データの画像識別情報と撮影条件データを参照して、両者が一致する応募履歴データを抽出して、この応募履歴データの送信者情報が前記受信した応募情報の送信者情報を用いて、前記抽出された応募履歴データの送信者情報と比較して、両者が一致すれば本人による不正応募と判定して、両者が一致しなければ、他人の撮影データの不正使用と判定する、ことを特徴とする請求項１に記載の撮影画像を利用した応募管理システムである。
【０００９】
請求項３の発明は、コンピュータに組込むことによって、コンピュータを請求項１または請求項２に記載の撮影画像を利用した応募管理システムとして動作させるコンピュータプログラムである。
【００１０】
請求項４の発明は、請求項３に記載のコンピュータプログラムを記録したコンピュータ読取り可能な記録媒体である。
【発明の効果】
【００１１】
本願発明によれば、カメラ付携帯電話を用いたキャンペーンにおいて、参加応募に使用した撮影画像を不正に二重利用しようとするときに、これを防止することが可能である。
【発明を実施するための最良の形態】
【００１２】
（実施例）
以下、図面等を参照しながら、本発明の実施の形態について、更に詳しく説明する。
【００１３】
図１は、本発明による撮影画像を利用した応募管理システムの概要を説明する図である。
撮影画像を利用した応募管理システム１は、携帯端末装置３００と、受付サーバ装置１００と、画像認識サーバ装置５００と、応募判定サーバ装置７００とがネットワークで接続されて構成される。このネットワークは、携帯端末装置３００と無線接続するアンテナ９００を備えた携帯電話事業者のネットワークがゲートウェー８００を介してインターネット６００と接続されるネットワークである。
【００１４】
携帯端末装置３００は、デジタルカメラを備える。携帯端末装置３００は、たとえば、カメラ付き携帯電話である。
【００１５】
受付サーバ装置１００は、コンピュータプログラムによって制御されるサーバコンピュータである。受付サーバ装置１００のコンピュータプログラムには、既存のインターネットサーバプログラムが含まれる。
【００１６】
画像認識サーバ装置５００は、コンピュータプログラムによって制御されるコンピュータである。画像認識サーバ装置５００のコンピュータプログラムには、既存の画像認識プログラムが含まれる。
【００１７】
応募判定サーバ装置７００は、コンピュータプログラムによって制御されるサーバコンピュータである。
【００１８】
図２は、本発明による撮影画像を利用した応募管理システムの大まかな処理の流れを説明する図である。
携帯端末装置３００は、デジタルカメラで印刷媒体（たとえば、トレーディングカードやおまけシール）を撮影して、撮影した画像を電子メールに添付して、受付サーバ装置１００に送信する（図２（１））。受付サーバ装置１００は、携帯端末装置３００が送信した画像添付電子メールを受信する（同（２））。
【００１９】
受付サーバ装置１００は、受信した電子メールの画像を画像認識サーバ装置５００に送信する（同（１１））。画像認識サーバ装置５００は、受信した画像を画像認識して画像認識結果を作成して返信する（同（１２））。
受付サーバ装置１００は、画像認識サーバ装置５００から画像認識結果を受信する（同（１３））。
【００２０】
受付サーバ装置１００は、電子メールの情報と画像認識結果を用いて応募情報を作成して、応募判定サーバ装置７００に送信する（同（２１））。
応募判定サーバ装置７００は、応募情報を受信して、過去の応募記録を参照して、応募に使用した画像が過去の応募に使用されたものでないか否かを判定する（同（２２））。応募に使用した画像が過去に使用されたものでないと判定されれば、規定の得点値（たとえば、画像識別情報に関連付けられている得点値）を与える（同（２３））。応募判定サーバ装置７００は、応募判定報告を受付サーバ装置１００に返信する（同（２４））。受付サーバ装置１００は、応募判定サーバ装置７００が送信した応募判定報告を受信する（同（２５））。
【００２１】
受付サーバ装置１００は、受信した応募判定報告から応募結果の電子メールを作成して、撮影データ添付電子メールを送信した携帯端末装置３００に送信する（同（３１））。携帯端末装置３００は、受付サーバ装置１００が送信した応募結果の電子メールを受信する（同（３２））。
【００２２】
なお、撮影した画像を添付した電子メールは、携帯端末装置３００の代わりに街頭に設置されているキオスク端末装置を利用して、受付サーバ装置１００に送信してもよい。
【００２３】
図３は、携帯端末装置３００の詳細な構成図である。携帯端末装置３００は、デジタルカメラ３０１と、通信部３０５と、電子メール作成送信手段３２０と、電子メール受信手段３３０と、記憶手段３９０とを備える。通信部３０５は、アンテナコイルである。通信部３０５は、他の装置の通信部と通信接続する。記憶手段３９０は、撮影データ３９１と電子メール３９２を記憶する。
【００２４】
撮影データ３９１は、画像データと撮影条件データから構成される。電子メール３９２は、送信者識別情報を含むデータである。
【００２５】
デジタルカメラ３０１は、印刷媒体（たとえば、トレーディングカードやおまけシール）を撮影して、撮影データ３９１を作成して、記憶手段３９０に記録する。電子メール作成送信手段３２０は、記憶手段３９０に記録された撮影データ３９１を添付した電子メールを作成して通信部３０５から受付サーバ装置１００に送信する。
【００２６】
電子メール受信手段３３０は、受付サーバ装置１００から送信されて通信部３０５で受け付けた応募結果の電子メール３９２を受信して、記憶手段３９０に保持する。
【００２７】
電子メール作成送信手段３２０と、電子メール受信手段３３０とは、コンピュータプログラムである。撮影データ３９１は、コンピュータプログラムが可読なデータである。
記憶手段３９０は、半導体メモリや磁気メモリである。
【００２８】
図４は、撮影データ３９１の形式を説明する図である。撮影データ３９１は、画像データ３９１ａと撮影条件データ３９１ｂから構成される。画像データ３９１ａは、ＰＮＧ（Portable Network Graphicsの略）形式やＧＩＦ（Graphics Interchange Formatの略）形式やＪＰＥＧ（Joint Photographic Experts Groupの略）形式のようなビットマップデータである。撮影条件データ３９１ｂは、画素数（幅・高さ）、解像度（水平の解像度・垂直の解像度）、製造会社名（携帯端末装置の製造元）、デジタルカメラの機種名称（カメラのモデル名）、撮影日時（写真の撮影日）などを含むテキストデータである。
【００２９】
図５は、撮影条件データ３９１ｂの例である。図５には、Ｅｘｉｆ形式の撮影条件データ３９１ｂの表示画面が例示されている。表示画面には、幅が「176ピクセル」で、高さが「144ピクセル」で、携帯端末装置の製造元が「ＡＢＣ社」で、カメラのモデルが「FY75」である例が示されている。
【００３０】
なお、Ｅｘｉｆとは、「Exchangeable image file format」の略で、デジタル画像を管理する情報の形式で、日本電子工業振興協会が定めた標準化規格である。Ｅｘｉｆは、デジタルカメラで撮影した画像に使われる。
【００３１】
図６は、受付サーバ装置１００の詳細な構成図である。
前記受付サーバ装置１００は、通信部１０５と、電子メール受信手段１１０と、画像送信手段１２０と、画像認識結果受信手段１３０と、応募情報作成送信手段１４０と、応募判定報告受信手段１５０と、電子メール送信手段１７０と記憶手段１９０とを備える。通信部１０５は、アンテナコイルである。通信部１０５は、他の装置の通信部と通信接続する。
【００３２】
電子メール受信手段１１０は、通信部１０５で受け付けた送信者情報と撮影データ３９１とを含む電子メールを受信して、記憶手段１９０に保持する。
【００３３】
画像送信手段１２０は、前記受信した電子メールに含まれる撮影データの画像データ３９１ａを用いて、これを含んだデータベース検索クエリを構成して、通信部１０５から画像認識サーバ装置に、送信する。画像認識結果受信手段１３０は、画像認識サーバ装置から送信されて通信部１０５が受け付けた画像識別情報を含む画像認識結果を受信して、記憶手段１９０に保持する。
【００３４】
応募情報作成送信手段１４０は、前記記憶手段１９０に保持した画像認識結果と電子メールとを用いて、画像識別情報と送信者識別情報と撮影条件データとを含む応募情報１９４を作成して、通信部１０５から応募判定サーバ装置に送信する。応募判定報告受信手段１５０は、応募判定サーバ装置から送信されて通信部１０５が受け付けた応募判定報告を受信して、記憶手段１９０に保持する。
【００３５】
電子メール送信手段１７０は、前記記憶手段１９０に保持した応募判定報告を用いて応募結果１９８を作成してこれを含む電子メールを作成して、通信部１０５から携帯端末装置３００に送信する。
【００３６】
電子メール受信手段１１０と、画像送信手段１２０と、画像認識結果受信手段１３０と、応募情報作成送信手段１４０と、応募判定報告受信手段１５０と、電子メール送信手段１７０は、コンピュータプログラムである。
【００３７】
図７は、画像認識サーバ装置５００の詳細な構成図である。画像認識サーバ装置５００は、通信部５０５と、検索手段５１０と、画像認識結果送信手段５２０と、記憶手段５９０と、を備える。記憶手段５９０は、画像識別情報データベース５９３を記憶する。
【００３８】
画像識別情報データベース５９３は、画像識別情報を含むデータベースである。
【００３９】
検索手段５１０は、受付サーバ装置１００から、データベース検索クエリを受け付けて、これを用いて、画像識別情報データベース５９３を検索して、画像識別情報を抽出する。画像認識結果送信手段５２０は、前記抽出された画像識別情報を含む画像認識結果を作成して、問合サーバ装置に、送信する。
【００４０】
検索手段５１０と、画像認識結果返信手段５２０とは、コンピュータプログラムである。画像識別情報データベース５９３は、コンピュータプログラムが可読なデータである。記憶手段５９０は、半導体メモリや磁気メモリである。
【００４１】
図８は、応募判定サーバ装置７００の詳細な構成図である。応募判定サーバ装置７００は、通信部７０５と、応募情報受信手段７１０と、不正応募判定手段７４０と、応募履歴記録手段７２０と、応募ポイント記録手段７６０と、応募判定報告送信手段７８０と、記憶手段７９０とを、備える。記憶手段７９０は、得点値情報７９６と、応募ポイント７９５と、応募履歴データ７９７と、を記憶する。
【００４２】
得点値情報７９６は、画像識別情報と関連付けた情報である。応募ポイント７９５は、送信者情報と得点情報とを対応付けたデータである。応募履歴データ７９７は、送信者情報と撮影条件データと画像認識結果とを関係付けたデータである。
【００４３】
応募情報受信手段７１０は、受付サーバ装置が送信した応募情報を通信部７０５で受け付けて、受信する。
【００４４】
不正応募判定手段７４０は、前記受信した応募情報の画像識別情報と撮影条件データとを用いて、記憶された応募履歴データ７９７の画像識別情報と撮影条件データを参照して、両者が一致する応募履歴データ７９７があれば、不正応募と判定する。
また、不正応募判定手段７４０は、前記受信した応募情報の画像識別情報と撮影条件データとを用いて、記憶された応募履歴データ７９７の画像識別情報と撮影条件データを参照して、両者が一致する応募履歴データを抽出して、この応募履歴データの送信者情報が前記受信した応募情報の送信者情報を用いて、前記抽出された応募履歴データの送信者情報と比較して、両者が一致すれば本人による不正二重応募と判定して、両者が一致しなければ、他人の撮影データの不正使用と判定する。
【００４５】
応募履歴記録手段７２０は、前記受信した応募情報を用いて応募履歴データ７９７を作成して記録する。
【００４６】
応募ポイント記録手段７６０は、前記受信した応募情報の送信者情報を用いて、応募ポイント７９５を参照して、これに対応付けられた応募ポイント７９５を読み出して、前記受信した応募情報の画像識別情報に関連付けられた得点値情報７９６を前記読み出された応募ポイントの得点情報に加算して、記憶手段に記憶される応募ポイント７９５を更新する。
【００４７】
応募判定報告送信手段７８０は、応募判定報告を作成して受付サーバ装置１００に送信する。
【００４８】
応募情報受信手段７１０と、不正応募判定手段７４０と、応募履歴記録手段７２０と、応募ポイント記録手段７６０と、応募判定報告送信手段７８０とは、コンピュータプログラムである。得点値情報７９６と、応募ポイント７９５と、応募履歴データ７９７とは、コンピュータプログラムが可読なデータである。記憶手段７９０は、半導体メモリや磁気メモリである。
【００４９】
図９は、応募受付処理のフローチャートである。
（１）応募判定サーバ装置７００の応募情報受信手段７１０は、受付サーバ装置が送信した画像識別情報と、撮影条件データ３９１ｂを含む応募情報１９４を受信する。（ステップＳ４１０）
（２）不正応募判定手段７４０は、前記受信した応募情報の画像識別情報と撮影条件データとを用いて、記憶された応募履歴データ７９７の画像識別情報と撮影条件データを参照して、双方の画像識別情報と撮影条件データが一致する応募履歴データ７９７があるか否かを判定する。
双方の画像識別情報と撮影条件データとが一致する応募履歴データ７９７が無ければ、ステップＳ４４０に進む。
双方の画像識別情報と撮影条件データとが一致する応募履歴データ７９７が有れば、ステップＳ４３に進む。（ステップＳ４２０）
（３）応募判定報告送信手段７８０は、不正使用通知を含む応募判定報告を作成して、受付サーバ装置１００に送信して、終了する。（ステップＳ４３０）
（４）応募判定報告送信手段７８０は、応募受付の通知を含む応募判定報告を作成して、受付サーバ装置１００に送信する。（ステップＳ４４０）
（５）応募履歴記録手段７２０は、前記受信した応募情報１９４を用いて応募履歴データ７９７を作成して記録して、終了する。（ステップＳ４５０）
【００５０】
次に、判定処理の実施例について説明する。
（実施例１）
【００５１】
図１０は、詳細な不正使用通知を発行する応募判定処理のフローチャートである。
（１）応募判定サーバ装置７００の応募情報受信手段７１０は、受付サーバ装置が送信した、画像識別情報と送信者識別情報（＝送信元メールアドレス）と撮影条件データ３９１ｂを含む応募情報１９４を受信する。（ステップＳ５１０）
（２）ステップＳ５２０は、図９のステップＳ４２０同じである。
（３）ステップＳ５４０とステップＳ５５０は、それぞれ、図９のステップＳ４４０とステップＳ４５０と同じである。
（４）不正応募判定手段７４０は、双方の画像識別情報と撮影条件データとが一致する応募履歴データ７９７を抽出する。（ステップＳ５３０）
（５）不正応募判定手段７４０は、前記受信した応募情報１９４の送信者情報を用いて、前記抽出された応募履歴データ７９７の送信元メールアドレスを参照して、両者が一致する応募履歴データ７９７があるか否かを判定する。両者が一致する応募履歴データ７９７が無ければ、ステップＳ５７０に進む。両者が一致する応募履歴データ７９７が有れば、ステップＳ５７５に進む。（ステップＳ５６０）
（６）応募判定報告送信手段７８０は、他人が応募で使用した撮影データを不正使用している通知を含む応募判定報告を作成して、受付サーバ装置１００に送信して、終了する。（ステップＳ５７０）
（７）応募判定報告送信手段７８０は、本人が過去に応募で使用した撮影データを不正使用している通知を含む応募判定報告を作成して、受付サーバ装置１００に送信して、終了する。（ステップＳ５８０）
【００５２】
以上詳しく説明したように、本願発明によれば、カメラ付携帯電話を用いたキャンペーンにおいて、参加応募に使用した撮影画像を不正に二重利用しようとするときに、これを防止することが可能となった。
【図面の簡単な説明】
【００５３】
【図１】本発明による撮影画像を利用した応募管理システムの概要
【図２】本発明による撮影画像を利用した応募管理システムの大まかな処理の流れ
【図３】携帯端末装置３００の詳細な構成図
【図４】撮影データ３９１の形式
【図５】撮影条件データ３９１ｂの例
【図６】受付サーバ装置１００の詳細な構成図
【図７】画像認識サーバ装置５００の詳細な構成図
【図８】応募判定サーバ装置７００の詳細な構成図
【図９】判定処理のフローチャート
【図１０】（実施例１）詳細な不正使用通知を発行する応募判定処理のフローチャート
【符号の説明】
【００５４】
１  撮影画像を利用した応募管理システム
１００  受付サーバ装置
１１０  電子メール受信手段
１２０  画像送信手段
１３０  画像認識結果受信手段
１４０  応募情報作成送信手段
１５０  応募判定報告受信手段
１７０  電子メール送信手段
１９０  記憶手段
１９４  応募情報
１９８  応募結果
３００  携帯端末装置
３０１  デジタルカメラ
３２０  電子メール作成送信手段
３３０  電子メール受信手段
３９０  記憶手段
３９１  撮影データ
３９１ａ  画像データ
３９１ｂ  撮影条件データ
３９２  電子メール
５００  画像認識サーバ装置
５１０  検索手段
５２０  画像認識結果返信手段
５９０  記憶手段
５９３  画像認識辞書
７００  応募判定サーバ装置
７１０  応募情報受信手段
７２０  応募履歴記録手段
７４０  不正応募判定手段
７６０  応募ポイント記録手段
７８０  応募判定報告送信手段
７９０  記憶手段
７９５  応募ポイント
７９６  得点値情報
７９７  応募履歴データ
【図１】
2008242891.tif 000003
【図２】
2008242891.tif 000004
【図３】
2008242891.tif 000005
【図４】
2008242891.tif 000006
【図５】
2008242891.tif 000007
【図６】
2008242891.tif 000008
【図７】
2008242891.tif 000009
【図８】
2008242891.tif 000010
【図９】
2008242891.tif 000011
【図１０】
2008242891.tif 000012